(57)【要約】【課題】燃料供給装置の設置構造において、燃料供給装置を構成するセットプレート部の上面に、錆び水等の液体を溜まらせないようにし、セットプレート部の損傷を回避する。【解決手段】セットプレート部３０側の環状支持部位３０ａには、外周方向等間隔で、段差のように上方に突出して形成される上面視略扇状の凸板状部３５が、複数設けられている。この凸板状部３５同士の間には、セットプレート部３０の上面３０ｂと面一となる溝状部３６が形成される。取付けブラケット部材４０によりセットプレート部３０を固定支持した場合には、溝状部３６によって空間が形成され、この空間は排水用通路３７として構成される。【選択図】図４
2010120572.tif 000002
【特許請求の範囲】
【請求項１】
上面に開口部を有して容器状に構成される燃料タンクに設置され、該燃料タンク内に貯蔵される燃料を外部に供給する燃料供給装置の設置構造であって、
前記燃料供給装置は、前記開口部から前記燃料タンク内に配置され且つ該燃料タンク内から該燃料タンク外に燃料を送る燃料供給装置本体と、前記燃料供給装置本体を支持し前記開口部を閉塞するセットプレート部とを有し、
前記セットプレート部は、前記燃料タンク側に固定支持される取付けブラケット部材により前記開口部を閉塞しながら固定支持され、
前記セットプレート部を固定支持する際の前記取付けブラケット部材と前記セットプレート部との環状支持部位には、前記セットプレート部上に存する液体を前記セットプレート部の外周外側に排する排水用通路が設けられていることを特徴とする燃料供給装置の設置構造。
【請求項２】
請求項１に記載の燃料供給装置の設置構造において、
前記セットプレート部の上面は、前記セットプレート部の中心から外周に向かうにしたがって重力方向に傾斜していることを特徴とする燃料供給装置の設置構造。
【請求項３】
請求項１または請求項２に記載の燃料供給装置の設置構造において、
少なくとも前記セットプレート部側の前記環状支持部位には、上方に突出する凸部が複数設けられ、
前記排水用通路は、前記凸部の段差によって形成される空間にて構成されることを特徴とする燃料供給装置の設置構造。
【請求項４】
請求項１または請求項２に記載の燃料供給装置の設置構造において、
前記排水用通路は、少なくとも前記取付けブラケット部材側の前記環状支持部位を切り欠くことにより複数形成された切欠き部にて構成されることを特徴とする燃料供給装置の設置構造。
【発明の詳細な説明】
【技術分野】
【０００１】
本発明は、燃料タンク内に貯蔵される燃料を外部に供給する燃料供給装置の設置構造に関する。
【背景技術】
【０００２】
従来、自動二輪車や自動四輪車に代表される車両にあっては、燃料を貯蔵する燃料タンクを備える。この燃料タンクは、上面に開口部が設けられた容器状に構成される。この燃料タンクには、貯蔵される燃料をエンジン等の外部に送る、一般に「ポンプモジュール」と称される燃料供給装置が設置されている。
燃料供給装置は、燃料タンク内から燃料タンク外に燃料を送る燃料供給装置本体と、燃料タンクの開口部を閉塞するように取り付けられ燃料供給装置本体を支持するセットプレート部とを備える。このセットプレート部は、燃料タンク側に固定支持される取付けブラケット部材によって、燃料タンクに対し固定支持される（例えば、特許文献１参照）。
【特許文献１】特開２００５−１４７００
【発明の開示】
【発明が解決しようとする課題】
【０００３】
一方、上記の燃料タンクおよび燃料供給装置は、主な材料として、耐久力に優れたポリアセタール等の樹脂が選択されている。
他方、セットプレート部を固定支持する取付けブラケット部材は、材料として、鉄が選択されている。このため、取付けブラケット部材は、降雨等により錆び付いてしまうことがある。そうすると、セットプレート部の上面に錆び水を溜めてしまって、樹脂からなるセットプレート部を、損傷させてしまう虞がある。
【０００４】
本発明は、このような事情に鑑みなされたものであって、本発明が解決しようとする課題は、燃料タンク内に貯蔵される燃料を外部に供給する燃料供給装置の設置構造において、燃料供給装置を構成するセットプレート部の上面に、錆び水等の液体を溜まらせないようにして、セットプレート部の損傷を回避することにある。
【課題を解決するための手段】
【０００５】
上記課題を解決するため本発明に係る燃料供給装置の設置構造は、次の手段を採用する。
すなわち、本発明の第１の発明に係る燃料供給装置の設置構造は、上面に開口部を有して容器状に構成される燃料タンクに設置され、該燃料タンク内に貯蔵される燃料を外部に供給する燃料供給装置の設置構造であって、前記燃料供給装置は、前記開口部から前記燃料タンク内に配置され且つ該燃料タンク内から該燃料タンク外に燃料を送る燃料供給装置本体と、前記燃料供給装置本体を支持し前記開口部を閉塞するセットプレート部とを有し、前記セットプレート部は、前記燃料タンク側に固定支持される取付けブラケット部材により前記開口部を閉塞しながら固定支持され、前記セットプレート部を固定支持する際の前記取付けブラケット部材と前記セットプレート部との環状支持部位には、前記セットプレート部上に存する液体を前記セットプレート部の外周外側に排する排水用通路が設けられていることを特徴とする。
【０００６】
この燃料供給装置の設置構造によれば、セットプレート部は、燃料タンク側に固定支持される取付けブラケット部材により開口部を閉塞しながら固定支持され、セットプレート部を固定支持する際の取付けブラケット部材とセットプレート部との環状支持部位には、セットプレート部上に存する液体をセットプレート部の外周外側に排する排水用通路が設けられているので、セットプレート部上に液体が溜まりそうな場合であっても、排水用通路にて液体をセットプレート部の外周外側に排することができる。例えば、降雨等が原因で、取付けブラケット部材が錆び付いてしまってセットプレート部上に錆び水が溜まりそうな場合であっても、この錆び水を、排水用通路にてセットプレート部の外周外側に排することができる。
これによって、燃料供給装置を構成するセットプレート部の上面に、錆び水等の液体が溜まってしまうことがなくなり、この液体によるセットプレート部の損傷を回避することができる。
【０００７】
第２の発明に係る燃料供給装置の設置構造は、前記第１の発明に係る燃料供給装置の設置構造において、前記セットプレート部の上面は、前記セットプレート部の中心から外周に向かうにしたがって重力方向に傾斜していることを特徴とする。
この燃料供給装置の設置構造によれば、セットプレート部の上面は、セットプレート部の中心から外周に向かうにしたがって重力方向に傾斜しているので、セットプレート部上に錆び水等の液体が溜まりそうな場合であっても、その液体をセットプレート部の中心から外周に向かって流すことができる。また、セットプレート部の外周に向かって流れた液体は、上記したように、排水用通路にてセットプレート部の外周外側に排することができる。
これによって、燃料供給装置を構成するセットプレート部の上面に、錆び水等の液体をより溜まらせないようにして、セットプレート部の損傷の回避を、より効果的なものにすることができる。
【０００８】
第３の発明に係る燃料供給装置の設置構造は、前記第１または前記第２の発明に係る燃料供給装置の設置構造において、少なくとも前記セットプレート部側の前記環状支持部位には、上方に突出する凸部が複数設けられ、前記排水用通路は、前記凸部の段差によって形成される空間にて構成されることを特徴とする。
この燃料供給装置の設置構造によれば、少なくともセットプレート部側の環状支持部位には上方に突出する凸部が複数設けられ、排水用通路は凸部の段差によって形成される空間にて構成されるので、取付けブラケット部材の形状は、従前のとおり（例えば、環状とするような）剛性の確保した形状を選択することができる上、セットプレート部を支持することができる。したがって、セットプレート部を均等に且つ強固に支持することができる。
また、セットプレート部の材料として、取付けブラケット部材に比して加工のし易いポリアセタール等の樹脂を選択する場合には、上方に突出する凸部の形成を簡単にすることができる。つまり、排水用通路の形成を簡単にすることができる。
【０００９】
第４の発明に係る燃料供給装置の設置構造は、前記第１または前記第２の発明に係る燃料供給装置の設置構造において、前記排水用通路は、少なくとも前記取付けブラケット部材側の前記環状支持部位を切り欠くことにより複数形成された切欠き部にて構成されることを特徴とする。
この燃料供給装置の設置構造によれば、排水用通路は、少なくとも取付けブラケット部材側の環状支持部位を切り欠くことにより複数形成された切欠き部にて構成されるので、セットプレート部を均等に支持することができながら、セットプレート部の形状を従前のまま変更することなく、排水用通路を形成することができる。
【発明の効果】
【００１０】
第１の発明に係る燃料供給装置の設置構造によれば、燃料供給装置を構成するセットプレート部の上面に、錆び水等の液体を溜まらせないようにして、セットプレート部の損傷を回避することができる。
第２の発明に係る燃料供給装置の設置構造によれば、燃料供給装置を構成するセットプレート部の上面に、錆び水等の液体をより溜まらせないようにして、セットプレート部の損傷の回避を、より効果的なものにすることができる。
第３の発明に係る燃料供給装置の設置構造によれば、セットプレート部を均等に且つ強固に支持することができながら、前記排水用通路の形成を簡単にすることができる。
第４の発明に係る燃料供給装置の設置構造によれば、セットプレート部を均等に支持することができながら、セットプレート部の形状を従前のまま変更することなく、排水用通路を形成することができる。
【発明を実施するための最良の形態】
【００１１】
［第１の実施の形態］
以下、本発明を実施するための実施の形態について、図面を参照しながら説明する。
まず、第１の実施の形態について、図１〜図７を参照しながら説明する。
図１は、燃料供給装置２０が設置されている燃料タンク１０の外観斜視図である。図１に示す燃料タンク１０は、ガソリン等の燃料を貯蔵するものである。この燃料タンク１０は、上面に円形状の開口部１１（図５に示す分解斜視図参照）を有する容器状に構成される。この燃料タンク１０には、燃料タンク１０内に貯蔵される燃料を外部に供給する燃料供給装置２０が設置される。なお、符号１２は、燃料を燃料タンク１０内に貯蔵させる際の燃料補給口である。
燃料供給装置２０は、図１に示すように、概略、燃料を送る燃料供給装置本体２１と、この燃料供給装置本体２１を支持するセットプレート部３０とを備える。燃料供給装置本体２１は、開口部１１から燃料タンク１０内に配置され、燃料タンク１０内から燃料タンク１０外に燃料を送る。セットプレート部３０は、燃料タンク１０の開口部１１を閉塞するように取り付けられ、燃料タンク１０内に配置される燃料供給装置本体２１を支持する。なお、この燃料供給装置２０のセットプレート部３０の構成材料には、耐久力に優れた樹脂であるポリアセタールが選択されている。
【００１２】
上記のように概略構成される燃料供給装置２０は、燃料タンク１０に対して次のように設置される。
図２は、第１の実施の形態の燃料供給装置２０の設置構造１を示す斜視図である。図３は、図２の燃料供給装置２０の設置構造１を示す上面図である。図４は、図２の燃料供給装置２０の設置構造１のIV−IV断面矢視を示す断面図である。図５は、図２の燃料供給装置２０の設置構造１を示す分解斜視図である。図６は、図５のセットプレート部３０のVI−VI断面矢視を示す断面図である。
なお、図２〜図６における燃料供給装置２０は、本発明の実施の形態として分かり易いものとするために、燃料供給装置本体２１の図示を省略しているほか、燃料タンク１０内から燃料タンク１０外に燃料を送るための送り管等の構成についての図示も省略している。また、符号１５は、上記した燃料供給装置本体２１の制御を行う制御装置（不図示）に対して接続するための接続コネクタである。
【００１３】
第１の実施の形態となる燃料供給装置２０の設置構造１は、図２〜図５等に示すように、取付けブラケット部材４０にてセットプレート部３０を燃料タンク１０に固定支持することにより、燃料タンク１０に燃料供給装置２０を設置する構造となっている。
すなわち、この設置構造１の全体構成の概略について説明すると、図５に示すように、開口部１１周辺の燃料タンク１０の上にはセットプレート部３０が配置され、このセットプレート部３０の上には取付けブラケット部材４０が配置される。この際、このセットプレート部３０と燃料タンク１０との間には、燃料タンク１０の開口部１１を、セットプレート部３０にて密閉するためのＯリング１７が介装されている。次いで、取付けブラケット部材４０を、螺子部材４９により燃料タンク１０に取り付けることにより、取付けブラケット部材４０を燃料タンク１０側に固定支持する。この固定支持された取付けブラケット部材４０は、開口部１１を閉塞した状態でセットプレート部３０を固定支持する。
【００１４】
この設置構造１の各部構成の詳細について説明する。
セットプレート部３０は、図５に示すように、開口部１１の形状に対応した略円盤状に形成されている。これに対して取付けブラケット部材４０は、セットプレート部３０の形状に対応した環状に形成される。取付けブラケット部材４０は、図４や図５に示すように、概略、取付け用外フランジ状部４１と、押え用内フランジ状部４５とを備える。取付け用外フランジ状部４１は、設置した際に水平方向に延びる外方に突出するフランジ状に形成され、螺子部材４９により燃料タンク１０に取り付ける際の螺子孔４２が設けられている。押え用内フランジ状部４５は、設置した際に水平方向に延びる内方に突出するフランジ状に形成され、螺子部材４９を締め込むことによって、セットプレート部３０を下方（燃料タンク１０側）に押える。このようにして、取付けブラケット部材４０は、セットプレート部３０を、燃料タンク１０に対して開口部１１を閉塞した状態で固定支持する。
【００１５】
このように、取付けブラケット部材４０により、セットプレート部３０を固定支持した場合には、取付けブラケット部材４０の押え用内フランジ状部４５の下面４０ｂ側は、セットプレート部３０の上面３０ｂ側に対し押圧状態で密着する。この際、押え用内フランジ状部４５の下面４０ｂと一致する押え用内フランジ状部４５側の環状部位が、取付けブラケット部材４０側の環状支持部位４０ａに相当する。また、この取付けブラケット部材４０側の環状支持部位４０ａと対向する部位となるセットプレート部３０側の上面３０ｂの部位が、セットプレート部３０側の環状支持部位３０ａに相当する。
なお、取付けブラケット部材４０により、セットプレート部３０を固定支持した場合には、取付け用外フランジ状部４１と燃料タンク１０との間には、取付けブラケット部材４０の外側に液体を流すことができる程度の隙間が形成される。
【００１６】
これら環状支持部位３０ａ，４０ａのうち、セットプレート部３０側の環状支持部位３０ａには、セットプレート部３０上に存する液体をセットプレート部３０の外周外側に排する排水用通路３７が設けられている。
図７は、図２に示す燃料供給装置２０の設置構造１の要部を拡大して示す断面図である。具体的には、図７に示すように、セットプレート部３０側の環状支持部位３０ａには、上面視略扇状の段差のように上方に突出して形成される凸部としての凸板状部３５が、セットプレート部３０の外周に沿って外周方向等間隔で複数設けられている。また、外周方向等間隔で複数設けられる凸板状部３５同士間は、セットプレート部３０の上面３０ｂと面一となる溝状部３６が形成される。セットプレート部３０が取付けブラケット部材４０にて固定支持された際には、溝状部３６によって空間が形成されることとなり、この空間が排水用通路３７として構成される。なお、この凸板状部３５の上面は、上記した取付けブラケット部材４０側の環状支持部位４０ａと密着するように、設置した際に水平方向に延びる平面状に形成されている。
また、このセットプレート部３０の上面３０ｂは、図４および図６に示すように、セットプレート部３０の中心から外周に向かうにしたがって重力方向（図示下方向）に傾斜している。つまり、セットプレート部３０の上面３０ｂの中心から外周近傍に位置する溝状部３６まで、面一状態で重力方向（図示下方向）に傾斜している。
【００１７】
以上のように構成された第１の実施の形態の燃料供給装置２０の設置構造１によれば、次のような作用効果を奏することができる。
すなわち、この第１の実施の形態の燃料供給装置２０の設置構造１によれば、セットプレート部３０を固定支持する際の取付けブラケット部材４０とセットプレート部３０との環状支持部位３０ａには、セットプレート部３０上に存する液体をセットプレート部３０の外周外側に排する排水用通路３７が設けられているので、セットプレート部３０上に液体が溜まりそうな場合であっても、排水用通路３７にて液体をセットプレート部３０の外周外側に排することができる。
例えば、降雨等が原因で、取付けブラケット部材４０が錆び付いてしまってセットプレート部３０上に錆び水が溜まりそうな場合であっても、図７中の矢印方向Ｆに示すように、錆び水をセットプレート部３０の外周外側に排することができる。つまり、矢印方向Ｆに示すように、セットプレート部３０上の錆び水は、排水用通路３７を通過し、セットプレート部３０外周と取付けブラケット部材４０内周との隙間を通り、取付け用外フランジ状部４１と燃料タンク１０との隙間を通って、これらの部材３０，４０の外周外側に流すように排することができる。
これによって、燃料供給装置２０を構成するセットプレート部３０の上面３０ｂに、錆び水等の液体が溜まってしまうことがなくなり、この液体によるセットプレート部３０の損傷を回避することができる。
【００１８】
また、この燃料供給装置２０の設置構造１によれば、セットプレート部３０側の環状支持部位３０ａには、上方に突出する凸板状部３５が外周方向等間隔で複数設けられ、排水用通路３７は凸板状部３５の段差によって形成される空間にて構成されるので、取付けブラケット部材４０の形状は、従前のとおりの環状で形成されたものを利用することができる。これによって、取付けブラケット部材４０は、環状の剛性の確保した形状を選択することができる上、外周方向等間隔でセットプレート部３０を支持するので、セットプレート部３０を均等に且つ強固に支持することができる。
また、上記したように、セットプレート部３０は、取付けブラケット部材４０に比して加工のし易いポリアセタール等の樹脂を材料として選択しているので、上方に突出する凸板状部３５の形成を簡単にすることができる。つまり、排水用通路３７の形成を簡単にすることができる。
【００１９】
また、この燃料供給装置２０の設置構造１によれば、セットプレート部３０の上面３０ｂは、セットプレート部３０の中心から外周に向かうにしたがって重力方向に傾斜しているので、セットプレート部３０上に錆び水等の液体が溜まりそうな場合であっても、その液体をセットプレート部３０の中心から外周に向かって流すことができる。また、セットプレート部３０の外周に向かって流れた液体は、上記したように、排水用通路３７にてセットプレート部３０の外周外側に排することができる。
これによって、燃料供給装置２０を構成するセットプレート部３０の上面３０ｂに、錆び水等の液体をより溜まらせないようにして、セットプレート部３０の損傷の回避を、より効果的なものにすることができる。
【００２０】
［第２の実施の形態］
次に、上記の第１の実施の形態とは異なる構成を有する第２の実施の形態について、図８〜図１１を参照しながら説明する。
第２の実施の形態の燃料供給装置５０の設置構造２は、上記した第１の実施の形態の燃料供給装置２０の設置構造１の排水用通路３７とは異なる構成を有した排水用通路７７を備える。つまり、上記した第１の実施の形態の燃料供給装置２０の設置構造１においては、セットプレート部３０側に形成された凸板状部３５の段差にて溝状部３６を形成し、この溝状部３６にて形成される取付けブラケット部材４０との空間により、排水用通路３７を構成するようにしていた。しかしながら、第２の実施の形態の燃料供給装置５０の設置構造２においては、排水用通路７７は、取付けブラケット部材７０に直接的に形成されるものとなっている。
なお、第２の実施の形態の燃料供給装置５０の設置構造２は、上記第１の実施の形態のうち、セットプレート部３０および取付けブラケット部材４０の構成を変更したのみのものであるので、以下においては、セットプレート部６０および取付けブラケット部材７０に関しての構成のみを説明し、上記第１の実施の形態の燃料供給装置２０の設置構造１の構成と同一に構成される個所については、同一の符号を付し説明を省略する。
【００２１】
図８は、第２の実施の形態の燃料供給装置５０の設置構造２を示す斜視図である。図９は、図８の燃料供給装置５０の設置構造２を示す上面図である。図１０は、図８の燃料供給装置５０の設置構造２のX−X断面矢視を示す断面図である。図１１は、図８の燃料供給装置５０の設置構造２を示す分解斜視図である。
この設置構造２の各部構成の詳細について説明する。
すなわち、セットプレート部６０は、図１１に示すように、開口部１１の形状に対応した略円盤状に形成されている。このセットプレート部６０は、上記した第１の実施の形態のセットプレート部６０とは異なり、その上面６０ｂは、上記凸板状部３５が設けられておらず、面一に形成されている。また、セットプレート部６０の上面６０ｂは、上記した第１の実施の形態のセットプレート部３０とは異なり、傾斜しておらず、設置した際に水平方向に延びる平面状に形成されている。
【００２２】
これに対して取付けブラケット部材７０は、図８〜図１１に示すように、セットプレート部６０の形状に対応した略環状に形成され、概略、取付け用外フランジ状部７１と、押え用内フランジ状部７５とを備える。
上記した第１の実施の形態と同様、取付けブラケット部材７０により、セットプレート部６０を固定支持した場合には、取付けブラケット部材７０の押え用内フランジ状部７５の下面７０ｂ側は、セットプレート部６０の上面６０ｂ側に対し押圧状態で密着する。この際、略環状に形成された押え用内フランジ状部７５側の環状部位が、取付けブラケット部材７０側の環状支持部位７０ａに相当する。また、この取付けブラケット部材７０側の環状支持部位７０ａと対向する部位となるセットプレート部６０側の上面６０ｂの部位が、セットプレート部６０側の環状支持部位６０ａに相当する。
【００２３】
取付け用外フランジ状部７１は、設置した際に水平方向に延びる外方に突出するフランジ状に形成され、螺子部材７９により燃料タンク１０に取り付ける際の螺子孔７２が設けられている。押え用内フランジ状部７５は、設置した際に水平方向に延びる内方に突出するフランジ状に形成され、下面がセットプレート部６０の上面６０ｂに当接し、螺子部材７９を締め込むことによって、セットプレート部６０を下方（燃料タンク１０側）に押える。この押え用内フランジ状部７５には、排水用通路７７を構成する切欠き部７６が設けられている。この切欠き部７６は、取付けブラケット部材７０側の環状支持部位７０ａを、外周まで貫くように切り欠くことにより形成されている。この切欠き部７６にあっては、環状支持部位７０ａに隣接する側壁７０ｃ個所も、外周外側まで切り欠かれたものとなっており、外周方向等間隔で切り欠くことにより複数形成されている。言い換えれば、切欠き部７６が形成された押え用内フランジ状部７５は、櫛歯のように形成されている。このようにして、取付けブラケット部材７０は、セットプレート部６０を、燃料タンク１０に対して開口部１１を閉塞した状態で固定支持する。このようにして、切欠き部７６は、セットプレート部６０上に存する液体をセットプレート部６０の外周外側に排する排水用通路７７として機能することとなる。
【００２４】
以上のように構成された第２の実施の形態の燃料供給装置５０の設置構造２によれば、次のような作用効果を奏することができる。
すなわち、この第２の実施の形態の燃料供給装置５０の設置構造２によれば、セットプレート部６０を固定支持する際の取付けブラケット部材７０とセットプレート部６０との環状支持部位６０ａには、セットプレート部６０上に存する液体をセットプレート部６０の外周外側に排する排水用通路７７が設けられているので、セットプレート部６０上に液体が溜まりそうな場合であっても、排水用通路７７にて液体をセットプレート部６０の外周外側に排することができる。
これによって、燃料供給装置５０を構成するセットプレート部６０の上面６０ｂに、錆び水等の液体が溜まってしまうことがなくなり、この液体によるセットプレート部６０の損傷を回避することができる。
また、この燃料供給装置５０の設置構造２によれば、排水用通路７７は、取付けブラケット部材７０側の環状支持部位７０ａを、外周方向等間隔で切り欠くことにより複数形成された切欠き部７６にて構成されるので、セットプレート部６０を均等に支持することができながら、セットプレート部６０の形状を従前のまま変更することなく、排水用通路７７を形成することができる。
【００２５】
なお、本発明に係る燃料供給装置の設置構造にあっては、上記した実施の形態に限定されるものではなく、本発明の要旨を変更しない範囲で適宜に変更することができる。
例えば、上記第１の実施の形態における燃料供給装置２０の設置構造１にあっては、凸部としての凸板状部３５としては、セットプレート部３０側の環状支持部位３０ａのみに上面視略扇状で設けられるものを例示した。しかしながら、本発明に係る凸部としては、上記の例に限定されることなく、適宜の形状を選択することができ、セットプレート部３０側の環状支持部位３０ａの範囲を超えて設けられるものであってもよい。
また、上記第２の実施の形態における燃料供給装置５０の設置構造２にあっては、排水用通路７７を構成する切欠き部７６は、取付けブラケット部材７０側の環状支持部位７０ａおよび隣接する側壁７０ｃ個所を外周外側まで切り欠くことにより形成されるものであった。しかしながら、本発明に係る排水用通路を構成する切欠き部は、上記の例に限定されることなく、少なくとも取付けブラケット部材側の環状支持部位が切り欠くようにして形成されていればよい。
【００２６】
また、上記第１の実施の形態において説明した凸板状部（凸部）３５にあっては、セットプレート部３０の外周に沿って外周方向等間隔で設けられるものを例に挙げ説明するものであった。しかしながら、本発明に係る凸部は、このような外周方向等間隔で設けられる例に限定されるものではなく、統一されていないバラつきのある適宜間隔で設けられるような構成であってもよい。ただ、上記実施の形態のように、外周方向等間隔で設けられるように構成した場合には、均等に支持できる点で有利である。
また、上記第２の実施の形態において説明した切欠き部７６にあっては、環状支持部位７０ａにおいて外周方向等間隔で形成されるものを例に挙げ説明するものであった。しかしながら、本発明に係る切欠き部は、このような外周方向等間隔で形成される例に限定されるものではなく、統一されていないバラつきのある適宜間隔で形成されるような構成であってもよい。ただ、上記実施の形態のように、外周方向等間隔で形成されるように構成した場合には、均等に支持できる点で有利である。
【図面の簡単な説明】
【００２７】
【図１】燃料供給装置が設置されている燃料タンクの外観斜視図である。
【図２】第１の実施の形態の燃料供給装置の設置構造を示す斜視図である。
【図３】図２の燃料供給装置の設置構造を示す上面図である。
【図４】図２の燃料供給装置の設置構造のIV−IV断面矢視を示す断面図である。
【図５】図２の燃料供給装置の設置構造を示す分解斜視図である。
【図６】図５のセットプレート部のVI−VI断面矢視を示す断面図である。
【図７】図２に示す燃料供給装置の設置構造の要部を拡大して示す断面図である。
【図８】第２の実施の形態の燃料供給装置の設置構造を示す斜視図である。
【図９】図８の燃料供給装置の設置構造を示す上面図である。
【図１０】図８の燃料供給装置の設置構造のX−X断面矢視を示す断面図である。
【図１１】図８の燃料供給装置の設置構造を示す分解斜視図である。
【符号の説明】
【００２８】
１，２  設置構造
１０  燃料タンク
１１  開口部
１５  接続コネクタ
１７  Ｏリング
２０，５０  燃料供給装置
２１  燃料供給装置本体
３０，６０  セットプレート部
３０ａ，６０ａ  セットプレート部側の環状支持部位
３０ｂ，６０ｂ  セットプレート部の上面
３５  凸板状部（凸部）
３６  溝状部
３７，７７  排水用通路
４０，７０  取付けブラケット部材
４０ａ，７０ａ  取付けブラケット部材側の環状支持部位
４１，７１  取付け用外フランジ状部
４２，７２  螺子孔
４５，７５  押え用内フランジ状部
７６  切欠き部
４９，７９  螺子部材
Ｆ  液体の流れ方向
【図１】
2010120572.tif 000003
【図２】
2010120572.tif 000004
【図３】
2010120572.tif 000005
【図４】
2010120572.tif 000006
【図５】
2010120572.tif 000007
【図６】
2010120572.tif 000008
【図７】
2010120572.tif 000009
【図８】
2010120572.tif 000010
【図９】
2010120572.tif 000011
【図１０】
2010120572.tif 000012
【図１１】
2010120572.tif 000013